(57)【特許請求の範囲】
【請求項１】
グラシン紙から成る透明又は半透明の第１紙製シートとグラシン紙から成る透明又は半透明の第２紙製シートとを貼り合わせ、該第１、第２紙製シートの貼り合わせ界面にクラフト紙から成る紙製テープを間隔をおいて並列に介在して第１、第２紙製シートと貼り合わせたことを特徴とする強化包装紙。
【請求項２】
グラシン紙から成る透明又は半透明の第１紙製シートとクラフト紙から成る第２紙製シートとを貼り合わせ、該第１、第２紙製シートの貼り合わせ界面にクラフト紙から成る紙製テープを間隔をおいて並列に介在して第１、第２紙製シートと貼り合わせたことを特徴とする強化包装紙。
【請求項３】
上記クラフト紙から成る紙製テープがクレープ紙から成ることを特徴とする請求項１又は２記載の強化包装紙。
【請求項４】
上記クラフト紙から成る紙製テープの表面に文字又は図形又は模様等の印刷を施し、該印刷を上記グラシン紙を通して視認する構成としたことを特徴とする請求項１又は２記載の強化包装紙。
【請求項５】
上記クラフト紙から成る紙製テープは長手方向に二つ折り又はＳ字折りして介在したことを特徴とする請求項１又は２記載の強化包装紙。
【発明の詳細な説明】
【０００１】
【発明の属する技術分野】
本発明は貼り合わせシートから成る包装紙、殊に貼り合わせ界面に介在した紙製テープの表面をシートを通して視認し得るようにした貼り合わせ包装紙における強化構造に関する。
【０００２】
【従来の技術】
従来より各種工業製品の包装紙として、強靱で耐湿性に富み、安価であるところからクラフト紙を用いた強化包装紙が多用されている。
【０００３】
而して従来の強化包装紙は、二枚のクラフト紙を貼り合わせ、この貼り合わせ界面にＰＰ、ＰＥから成る合成樹脂製メッシュを介在させた貼り合わせ構造、或いは同貼り合わせ界面にＰＰ、ＰＥから成る合成樹脂製フイルムを介在させた貼り合わせ構造を採っている。
【０００４】
【発明が解決しようとする課題】
然しながらこれら強化包装紙は、合成樹脂製メッシュやフイルムをサンドイッチした貼り合わせ構造であるためリサイクル性に欠ける点が最大の問題として指摘されており、その改善が課題となっている。又従来の強化包装紙は焼却処理時に有害ガスを発生する問題も内在している。
【０００５】
本発明はこれら強化包装紙における強化目的を確保しつつ、上記従来例における問題点を適切に解決する強化包装紙を提供するものである。
【０００６】
【課題を解決するための手段】
この強化包装紙は、第１紙製シートと第２紙製シートをグラシン紙に代表される透明、又は半透明の紙製シートで形成し、該第１紙製シートと第２紙製シートとを貼り合わせ、該第１、第２紙製シートの貼り合わせ界面にクラフト紙から成る紙製テープを間隔をおいて並列に介在した貼り合わせ構造を採る。よって完全リサイクルを可能としつつ、紙製テープの表面の印刷を上記シートを通して視認し得る透視表示効果と共に、包装紙の強化目的を達成した。
【０００７】
又他例として、グラシン紙から成る第１紙製シートと、クラフト紙とから成る第２紙製シートを貼り合わせ、該第１、第２紙製シートの貼り合わせ界面にクラフト紙から成る紙製テープを間隔をおいて並列に介在した貼り合わせ構造を採る。よって完全リサイクルを可能としつつ、紙製テープの表面の印刷を上記グラシン紙から成る第１紙製シートを通して視認し得る透視表示効果と共に、包装紙の強化目的を達成した。
【０００８】
【発明の実施の形態】
図１Ａ，Ｂに示すように、グラシン紙から成る第１紙製シート１と、同グラシン紙から成る第２紙製シート２とを用意し、該第１、第２紙製シート１，２間にクラフト紙から成る紙製テープ３を並列に介在し三者を接着材５を介して貼り合わせ構造にする。
【０００９】
これにより図３に示すように、第１、第２紙製シート１，２の貼り合わせ界面に紙製テープ３が間隔をおいて並列に介在された貼り合わせ構造を有する強化包装紙を形成すると共に、グラシン紙から成るシート１，２を通して紙製テープ３の表面を視認可能にする。
【００１０】
又他例として図２Ａ，Ｂに示すように、グラシン紙から成る第１紙製シート１と、クラフト紙から成る第２紙製シート２′とを用意し、該第１、第２紙製シート１，２′間にクラフト紙から成る紙製テープ３を並列に介在し三者を接着材５を介して貼り合わせ構造にする。
【００１１】
これにより図３に示すように、第１、第２紙製シート１，２′の貼り合わせ界面に紙製テープ３が間隔をおいて並列に介在された貼り合わせ構造を有する強化包装紙を形成すると共に、グラシン紙から成る第１紙製シート１を通して紙製テープ３の表面を視認可能にする。
【００１２】
上記グラシン紙は亜硫酸パルプを原料とし、光沢を付けて透明又は半透明に仕上げた紙であり、クラフト紙はクラフトパルプ（未さらしの硫酸塩パルプ）から作られる褐色の紙であり、何れも既知のものである。
【００１３】
上記紙製テープ３の表面には強化包装紙の強度を判別できる着色や文字等の印刷４、又は使用者の視覚効果（包装紙の用途、機能、効能）を意図する文字、図形、模様等の印刷４を施し、上記グラシン紙から成る紙製シート１を通してこの印刷４を視認できるようにする。
【００１４】
又図５に示すように、上記第１、第２紙製シート１，２（２′）の貼り合わせ界面に介在した紙製テープ３としてはクラフト紙から成る平テープの他、上記印刷４を施したクラフト紙から成るクレープ紙（皺付き紙）を適用し、緩衝作用を富加しつつ、グラシン紙から成る紙製シート１を介し上記着色や文字等の印刷４を透視可能にする。このクレープ紙の皺形状は、既知の方法により抄造時又は抄造後に付与し、この抄造クラフト紙をテープ状にスリッティングして適用する。
【００１５】
図４は、上記紙製テープ３を形成する平テープ又は皺付きテープを長手方向に二つ折り又はＳ字折りして第１紙製シート１と第２紙製シート２（２′）間の貼り合わせ界面に介在した強化包装紙を示している。この強化包装紙は、紙製テープ３による強化目的を著しく向上する。加えて上記二つ折り又はＳ字折りした紙製テープ３表面に前記着色や文字等の印刷４を施し、該印刷４をグラシン紙から成る紙製シート１を通して視認できるようにする。
【００１６】
上記強化包装紙を形成する第１、第２紙製シート１，２（２′）及び紙製テープ３は何れも紙製（パルプ製）であり完全リサイクルが可能であると共に、図３、図５に示すように、上記グラシン紙の特性を活かしてシート１，２（２′）の貼り合わせ界面に介在した紙製テープ３の透視表示効果を得ながら包装紙の強化目的を達成する。
【００１８】
【発明の効果】
本発明の上記強化包装紙は、同包装紙における強化構造目的を達成しながら、完全リサイクル目的を達成できる。
【００１９】
又強化包装紙を形成するグラシン紙を通して紙製テープの色を透視し、この色分けにより包装紙の強度を判別し、包装対象品に対する強化包装紙の選択を容易にできる。
【００２０】
又上記紙製テープに施した着色や文字等の印刷により強化包装紙の用途、機能、効能等を容易に認識できる。
【図面の簡単な説明】
【図１】（Ａ）は透視可能なシートで形成した第１、第２紙製シートと紙製テープから成る強化包装紙を貼り合わせ前の状態を以て示す拡大断面図、（Ｂ）は同貼り合わせ後の構造を示す拡大断面図。
【図２】（Ａ）は他例を示す強化包装紙を貼り合わせ前の状態を以て示す拡大断面図、（Ｂ）は同貼り合わせ後の構造を示す拡大断面図。
【図３】図１、図２における強化包装紙を部分切欠して示す拡大平面図。
【図４】上記強化包装紙の紙製テープを長手方向に亘り重ね折りして第１、第２紙製シート間に介在させた状態を示す拡大断面図。
【図５】上記強化包装紙の貼り合わせ界面にクレープ紙から成る紙製テープを並列に介在した状態を部分切欠して示す拡大平面図。
【符号の説明】
１        第１紙製シート
２，２′  第２紙製シート
３        紙製テープ
４        印刷
５        接着剤
【図１】
0003749064.tif 000002
【図２】
0003749064.tif 000003
【図３】
0003749064.tif 000004
【図４】
0003749064.tif 000005
【図５】
0003749064.tif 000006